(57)【特許請求の範囲】
【請求項１】
上枠、下枠、および左右の縦枠を有する窓枠と、この窓枠内上部に固定される固定障子とを備え、
前記固定障子は、上辺部が前記上枠または前記縦枠に位置決めされるとともに、下辺左右両端部が一対の固定装置を介して前記縦枠に固定され、
前記一対の固定装置は、それぞれ前記縦枠に固定される受け材と、この受け材に対して着脱自在に設けられるとともに、当該受け材に固着可能かつ前記固定障子の下辺部を支持可能な固定材とを有して構成され、
前記固定材は、前記固定障子の固定位置で前記縦枠に係止されることで前記固定障子の下辺部を支持可能であるとともに、前記固定障子の下辺部を支持した固定材が前記受け材に固着されることで、前記固定障子が前記窓枠に固定される建具。
【請求項２】
上枠、下枠、および左右の縦枠を有する窓枠と、この窓枠内上部に固定される固定障子とを備え、
前記固定障子は、上辺部が前記上枠または前記縦枠に位置決めされるとともに、下辺左右両端部が一対の固定装置を介して前記縦枠に固定され、
前記一対の固定装置は、それぞれ前記縦枠に固定される受け材と、この受け材に対して着脱自在に設けられるとともに、当該受け材に固着可能かつ前記固定障子の下辺部を支持可能な固定材とを有して構成され、
前記固定障子は、その固定位置から所定量だけ下がった位置から上方にスライドされ、前記固定材は、前記固定障子の固定位置から所定量だけ下がった位置にて前記受け材に係止されるとともに、前記下がった位置から上方にスライドされて前記受け材に固着され、前記受け材に固着された固定材に前記固定障子の下辺部が支持されることで、前記固定障子が前記窓枠に固定される建具。
【請求項３】
前記固定障子の上辺両端部には、当該上辺部を位置決めする位置決め部材が取り付けられ、この位置決め部材は、前記上枠に対して左右方向および見込み方向に前記上辺部を位置決めする位置決め部と、前記固定障子の建て込み時に前記縦枠に係止されることで当該建て込み時における前記上辺部の見込み方向への移動を規制する規制部とを有して形成されている請求項１または請求項２に記載の建具。
【請求項４】
前記固定障子の室内側に沿って上下スライド開閉自在に前記窓枠に支持された可動障子を備えた上げ下げ窓である請求項１から請求項３のいずれかに記載の建具。
【発明の詳細な説明】
【技術分野】
【０００１】
本発明は、建具に関し、詳しくは、窓枠と、この窓枠内上部に固定装置を介して固定される固定障子とを備えた建具に関する。
【背景技術】
【０００２】
住宅等の外壁開口部に設けられる建具（サッシ窓）として、上下一対の障子のうち、上部障子（室外側障子）が窓枠に固定されるとともに、下部障子（室内側障子）が上下スライド開閉自在に設けられた上げ下げ窓が知られている（例えば、特許文献１参照）。
この上げ下げ窓において、上部障子は、その縦框の上部が縦枠の上部に固定したガイドピースに嵌合することで室内外方向（見込み方向）に位置決めされるとともに、下框の左右両端に突没自在に設けたロッド棒を縦枠に固定したストッパーに係合することで、窓枠に固定されるようになっている。そして、上部障子の取り付け手順としては、先ず、縦框の上部をガイドピースに嵌合させながら上部障子全体を若干持ち上げておき、次に、上部障子を持ち上げた状態でロッド棒を縦枠側に突出させてストッパーに係合し、その後に、ロッド棒を下框にビス止め固定するという手順になっている。
【０００３】
【特許文献１】特開２００３−１７６６６７号公報
【発明の開示】
【発明が解決しようとする課題】
【０００４】
しかしながら、特許文献１に記載されたような従来の上げ下げ窓では、上部障子の固定状態が不安定となり、がたつきなどの不具合が生じる可能性があり問題である。すなわち、従来の上部障子の固定構造では、ガイドピースによって障子上部の見込み方向の位置決めがなされ、ロッド棒およびストッパーによって障子の重量を支持することができるものの、障子の上端部分の移動を規制する構造ではないため、上部障子の固定状態が不安定になってしまう。
そして、上部障子の上端部分の移動を規制するための固定部品等を別途に設ければ、固定状態を安定化させることが可能になるものの、部品点数の増加や取付手順の煩雑化を招いてしまい、製造コストの増加や施工性の低下などの新たな問題が生じる。
【０００５】
本発明の目的は、低コストで良好な施工性を実現でき、かつ上部障子の固定状態の安定化を図ることができる建具を提供することにある。
【課題を解決するための手段】
【０００６】
本発明の建具は、上枠、下枠、および左右の縦枠を有する窓枠と、この窓枠内上部に固定される固定障子とを備え、前記固定障子は、上辺部が前記上枠または前記縦枠に位置決めされるとともに、下辺左右両端部が一対の固定装置を介して前記縦枠に固定され、前記一対の固定装置は、それぞれ前記縦枠に固定される受け材と、この受け材に対して着脱自在に設けられるとともに、当該受け材に固着可能かつ前記固定障子の下辺部を支持可能な固定材とを有して構成され、前記固定材は、前記固定障子の固定位置で前記縦枠に係止されることで前記固定障子の下辺部を支持可能であるとともに、前記固定障子の下辺部を支持した固定材が前記受け材に固着されることで、前記固定障子が前記窓枠に固定されることを特徴とする。
【０００７】
ここで、本発明の建具としては、前記固定障子の他に、可動障子や可動面材等を有して構成されたものでもよく、また前記固定障子とは相違する固定障子や固定面材等を有して構成されたものでもよい。そして、可動障子や可動面材等を有する場合には、可動障子等が上下にスライド開閉自在に設けられた上げ下げ窓であってもよく、また突き出し形式や開き形式、内倒し形式、辷出し形式等の任意の開閉形式で開閉可能に可動障子等が設けられていてもよい。
また、受け材に対して固定材が着脱自在に設けられるとは、受け材と固定材とが別体で構成されて固着部材等で受け材と固定材とが連結される形態だけでなく、受け材と固定材とが別体で構成されて受け材と固定材とが固着部材等を用いずにお互いがスナップ係合し合うことで連結されるものでもよく、さらには、受け材と固定材とが別体で構成されて互いがスナップ係合し合うとともに固着部材等を用いて連結されるものでもよい。
【０００８】
以上の本発明によれば、固定障子の上辺部を上枠または縦枠に位置決めした状態で、固定装置の固定材を受け材に取り付けた後に、当該固定材を受け材に固着するとともに固定障子の下辺部を固定材で支持することで、固定障子を持ち上げてからロッド棒をストッパーに係合させるような従来の取付方法にしなくてもよいため、固定材を受け材に固着するだけで障子の上辺部（上端部）の移動も含めた固定障子の移動を規制することができ、障子の固定状態の安定化を図ることができる。
そして、固定材を受け材に固着するだけで固定障子の固定作業が完了するので、固定装置とは別の固定部品等を用意する必要がなく、部品点数の増加および取付手順の煩雑化を防止して、低コスト化および良好な施工性を実現することができる。
さらに、固定障子を取り付ける際や取り外す際に、固定障子を作業者が手で支えておかなくても、受け材または縦枠に係止された固定材によって固定障子が支持されるので、固定障子の脱落が防止でき、取付作業や取外し作業を容易に実施することができる。従って、例えば一人の作業者で固定障子を取り付けたり取り外したりすることも可能になって、施工性をさらに向上させることができる。
【０００９】
また、本発明の建具は、上枠、下枠、および左右の縦枠を有する窓枠と、この窓枠内上部に固定される固定障子とを備え、前記固定障子は、上辺部が前記上枠または前記縦枠に位置決めされるとともに、下辺左右両端部が一対の固定装置を介して前記縦枠に固定され、前記一対の固定装置は、それぞれ前記縦枠に固定される受け材と、この受け材に対して着脱自在に設けられるとともに、当該受け材に固着可能かつ前記固定障子の下辺部を支持可能な固定材とを有して構成され、前記固定障子は、その固定位置から所定量だけ下がった位置から上方にスライドされ、前記固定材は、前記固定障子の固定位置から所定量だけ下がった位置にて前記受け材に係止されるとともに、前記下がった位置から上方にスライドされて前記受け材に固着され、前記受け材に固着された固定材に前記固定障子の下辺部が支持されることで、前記固定障子が前記窓枠に固定される構成であってもよい。
【００１０】
さらに、本発明の建具では、前記固定障子の上辺両端部には、当該上辺部を位置決めする位置決め部材が取り付けられ、この位置決め部材は、前記上枠に対して左右方向および見込み方向に前記上辺部を位置決めする位置決め部と、前記固定障子の建て込み時に前記縦枠に係止されることで当該建て込み時における前記上辺部の見込み方向への移動を規制する規制部とを有して形成されていることが好ましい。
このような構成によれば、固定障子を取り付ける際や取り外す際に、位置決め部材の位置決め部が上枠から外れた位置にあって位置決めされていない状態であっても、規制部が縦枠に係止されて固定障子の上辺部が見込み方向へ移動規制されることで、固定障子が見込み方向に倒れることが防止でき、取付作業や取外し作業を一層容易に実施することができる。
【００１２】
また、本発明の建具は、前記固定障子の室内側に沿って上下スライド開閉自在に前記窓枠に支持された可動障子を備えた上げ下げ窓であることが好ましい。
このような構成によれば、低コスト化および良好な施工性が実現可能で、固定障子の固定状態の安定化を図ることが可能な上げ下げ窓を構成することができる。
【発明を実施するための最良の形態】
【００１３】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１４】
〔第１実施形態〕
図１は、本発明の第１実施形態に係る建具である上げ下げ窓１を示す縦断面図である。図２は、上げ下げ窓１を示す横断面図である。図３は、上げ下げ窓１を室外側から見た姿図である。
図１〜図３において、上げ下げ窓１は、戸建て住宅等の建物の外壁開口部に設けられて建物の室内空間と室外空間とを仕切る建具であって、上枠１１、下枠１２、および左右の縦枠１３を四周枠組みした窓枠１０と、この窓枠１０の内側に支持された上部障子２０および下部障子３０と、これらの室外側に開閉自在に支持された網戸４０とを備えて構成されている。
【００１５】
上げ下げ窓１の上部障子２０および下部障子３０は、それぞれ上框２１，３１、下框２２，３２、および左右の縦框２３，３３を四周框組みした内部に、ガラスパネル（複層ガラス）２４，３４を嵌め込んで構成されている。上部障子２０は、窓枠１０の上枠１１および縦枠１３に位置決めされて固定された固定障子であり、下部障子３０よりも室外側に設けられている。下部障子３０は、窓枠１０の縦枠１３に案内され、上部障子２０の室内側に沿って上下スライド開閉可能に支持された可動障子である。これらの上部障子２０の下框２２と下部障子３０の上框３１とが見込み方向に重なって上げ下げ窓１が閉じられるようになっている。そして、下部障子３０の上框３１略中央部にはクレセント錠３５が設けられ、上部障子２０の下框２２には錠受け２５が設けられており、上部障子２０および下部障子３０を閉じた状態でクレセント錠３５を錠受けに係合させることで、上げ下げ窓１が施錠されるようになっている。
【００１６】
窓枠１０の縦枠１３は、見込み方向に延びる見込み片部１３１（後述する図４、図７参照）と、この見込み片部１３１の室内側、中間部、および室外側からそれぞれ見付け方向内側に延びる室内側見付け片１３２、中間部見付け片１３３、および室外側見付け片１３４とを有して形成されている。そして、下部障子３０は、左右の縦框３３の上端部に設けられたラッチ装置３６と、下部障子３０の下端部に連結されたスライド部材（不図示）とが、縦枠１３の室内側見付け片１３２および中間部見付け片１３３間に案内されることで上下スライド可能に構成されている。また、上部障子２０は、縦枠１３の中間部見付け片１３３および室外側見付け片１３４間に設けられる固定装置５０によって、下辺両端部である下框２２端部および縦框２３下端部が支持されるとともに、上辺両端部である上框２１端部および縦框２３上端部に取り付けた位置決め部材６０が上枠１１の突片１１１（後述）によって位置決めされることで窓枠１０に固定されている。
【００１７】
次に、上部障子２０の固定構造について図４〜図８も参照して説明する。
図４は、上部障子２０の下辺部を支持する固定装置５０を示す横断面図である。図５(Ａ)〜(Ｃ)および図６(Ａ)〜(Ｃ)は、それぞれ固定装置５０の受け材５１および固定材５２を示す三面図である。図７は、上部障子２０の上辺部を示す横断面図である。図８は、上部障子２０の上辺部に設けられる位置決め部材６０を示す三面図である。
【００１８】
図４〜図６に示すように、固定装置５０は、縦枠１３の見込み片部１３１に固定される受け材５１と、この受け材５１に対して着脱自在かつ固着可能に設けられるとともに上部障子２０の下辺部を支持可能な固定材５２とを有して構成されている。
受け材５１は、金属板材から折り曲げ加工により成形され、縦枠１３の見込み片部１３１に固定される上下の固定片部５１１と、これらの固定片部５１１から縦枠１３の見付け方向内側にコ字形に突出する固着部５１２とを有して形成されている。そして、受け材５１は、縦枠１３の見付け方向外側から螺合されるビスによって固定片部５１１が縦枠１３の見込み片部１３１に固定されるようになっている。また、固着部５１２には、固定材５２を螺合するための２つのビス孔５１２Ａが設けられている。
【００１９】
固定材５２は、樹脂製または金属製の固定材本体５２１と、この固定材本体５２１に取り付けられた固定補強板５２２とを有して形成されている。固定補強板５２２は、金属板材から断面略Ｌ字形に形成されており、受け材５１に固着した状態で略水平に延びる水平支持片部５２２Ａと、略鉛直に延びる鉛直支持片部５２２Ｂとを有して形成されている。一方、固定材本体５２１は、受け材５１に固着した状態で受け材５１を覆うケース部５２１Ａと、このケース部５２１Ａから延出し固定補強板５２２の水平支持片部５２２Ａ下側に沿って延びる水平延出部５２１Ｂと、固定補強板５２２の鉛直支持片部５２２Ｂを係止する係止片部５２１Ｃとを有して形成されている。これらの固定材本体５２１および固定補強板５２２は、係止片部５２１Ｃで鉛直支持片部５２２Ｂを係止することで一体に組み立てられるようになっている。
【００２０】
以上のような固定材５２は、ビス５２３を用いて受け材５１に取り付けられ、ビス５２３を取り外すことで受け材５１から取り外せる、つまり受け材５１に対して着脱自在に構成されている。詳しく説明すると、固定材本体５２１のケース部５２１Ａ側面と固定補強板５２２の鉛直支持片部５２２Ｂとに２本のビス５２３を貫通させ、これらのビス５２３を固着部５１２のビス孔５１２Ａに螺合することで、固定材５２が受け材５１に固着されるようになっており、逆の手順でビス５２３を取り外すことで受け材５１から固定材５２が取り外されるようになっている。さらに、固定材本体５２１の水平延出部５２１Ｂと固定補強板５２２の水平支持片部５２２Ａにビス５２４を貫通させ、このビス５２４を上部障子２０の下框２２に螺合することで、上部障子２０が固定装置５０に対して移動不能に支持されるようになっている。
【００２１】
次に、図７、図８に示すように、位置決め部材６０は、上部障子２０の上辺両端部（上框２１側端部および縦框２３上端部）に取り付けられた樹脂製部材であり、全体左右対称に形成されており、上部障子２０の上辺部の左右で共通の部材が取り付けられている。そして、位置決め部材６０は、上枠１１の突片１１１に当接して上部障子２０の上辺部を、上枠１１に対する左右方向と見込み方向との両方向に位置決めし、上辺部が水平方向に移動しないように規制することができるようになっている。
すなわち、位置決め部材６０は、上部障子２０の上辺部に載置される本体６１と、この本体部６１の室内側に設けられて上框２１および縦框２３に係合する一対の係合部６２と、本体部６１の室外側側面に形成されて上枠１１の突片１１１室内面に当接する当接面部６３と、当接面部６３よりも室外側に突出して突片１１１の切欠き１１１Ａに挿入される位置決め突部６４と、本体部６１の左右に突出する規制部６５とを有して形成されている。
【００２２】
以上のような位置決め部材６０は、一対の係合部６２を上框２１および縦框２３に係合して上部障子２０の上辺部に取り付けられ、取り付けた位置決め部材６０の左右の規制部６５のうちの一方が縦框２３よりも見付け方向外側（縦枠１３側）に突出するように構成されている。そして、一方の規制部６５を縦枠１３の室外側見付け片１３４よりも室内側に位置させた状態で上部障子２０を窓枠１０に室外側から建て込むことで、規制部６５が室外側見付け片１３４に係止されて上部障子２０が室外側に倒れないようになっている。さらに、上部障子２０を上方に持ち上げて上辺部を上枠１１に近接させると、位置決め部材６０の当接面部６３が突片１１１の傾斜面に当接して室内側に案内され、当接面部６３と突片１１１室内面との当接により上部障子２０の上辺部が見込方向に位置決めされる。また、位置決め突部６４が突片１１１の切欠き１１１Ａに挿入されることで、上部障子２０の上辺部が上枠１１に対する左右方向に位置決めされるようになっている。すなわち、位置決め部材６０の当接面部６３および位置決め突部６４によって本発明の位置決め部が構成されている。
【００２３】
次に、上部障子２０の建て込み手順について図９〜図１１も参照して説明する。
図９〜図１１は、上部障子２０の建て込み手順を説明する縦断面図である。
上部障子２０の建て込みに際しては、先ず、図９に示すように、縦枠１３の見込み片部１３１に固定装置５０の受け材５１を固定しておくとともに、窓枠１０内（縦枠１３間）に上部障子２０を入れた後、上部障子２０の上辺両端部に位置決め部材６０を取り付けておく。ここで、縦枠１３の中間部見付け片１３３から室外側に突出した突片１３３Ａ、および室外側見付け片１３４から室内側に突出した突片１３４Ａには、それぞれ固定装置５０に対応した切欠きが予め形成されている。
【００２４】
次に、図１０に示すように、上部障子２０を持ち上げて上辺部を上枠１１に挿入する。この際、上部障子２０が室外側に倒れようとしても、位置決め部材６０の規制部６５が縦枠１３の室外側見付け片１３４に係止されて、上部障子２０が室外側に倒れることがない。そして、位置決め部材６０の当接面部６３を上枠１１の突片１１１に当接させるとともに、位置決め突部６４を突片１１１の切欠き１１１Ａに挿入し、水平方向に移動しないように上部障子２０の上辺部を位置決めする。次に、固定装置５０の固定材５２を上部障子２０の下辺部（下框２２および縦框２３下端部）に沿わせるようにして、縦枠１３の中間部見付け片１３３と室外側見付け片１３４との間に挿入し、縦枠１３の中間部見付け片１３３および室外側見付け片１３４の突片１３３Ａ，１３４Ａの切欠き内に挿入する。このように固定材５２を縦枠１３の切欠き内に挿入した状態において、固定材５２は、縦枠１３の中間部見付け片１３３および室外側見付け片１３４の突片１３３Ａ，１３４Ａの切欠きに係止され、この係止された位置よりも下方に下がらないようになっている。
【００２５】
次に、上部障子２０の下辺部を固定材５２の水平支持片部５２２Ａに当接させた状態で、図１１に示すように、固定材本体５２１のケース部５２１Ａ側面と固定補強板５２２の鉛直支持片部５２２Ｂとにビス５２３を貫通させ、これらのビス５２３を受け材５１の固着部５１２のビス孔５１２Ａに螺合して、固定材５２を受け材５１に固着する。さらに、固定材本体５２１の水平延出部５２１Ｂと固定補強板５２２の水平支持片部５２２Ａにビス５２４を貫通させ、このビス５２４を上部障子２０の下框２２に螺合して、上部障子２０と固定装置５０とを固着する。以上によって下辺部が固定装置５０に支持され、かつ上辺部が上枠１１に位置決めされることで、上部障子２０が窓枠１０に対して見込み方向（図２の上下方向）および見付け方向（図２の左右方向）に移動不能に固定され、上部障子２０の建て込み手順が完了する。
なお、上部障子２０を窓枠１０から取り外す場合には、上述した建て込み手順と逆の手順で取り外すことになるが、この際、ビス５２３を受け材５１および固定材５２から外しても、固定材５２が縦枠１３の突片１３３Ａ，１３４Ａに係止され、上部障子２０が脱落しないようになっている。
【００２６】
このような本実施形態によれば、以下のような効果がある。
（１）すなわち、上部障子２０の上辺部が上枠１１に位置決めされた状態で、固定装置５０の固定材５２が受け材５１に取り付けて固着され、この固定材５２で上部障子２０の下辺部が支持されるので、固定材５２を受け材５１に固着するだけで上部障子２０を窓枠１１に移動不能に固定することができ、上部障子２０の固定状態の安定化を図ることができる。
【００２７】
（２）そして、固定装置５０の固定材５２を受け材５１に固着し、固定材５２を下框２２に固着するだけで上部障子２０の固定作業が完了するので、固定装置５０とは別の固定部品等を用意する必要がなく、部品点数の増加および取付手順の煩雑化を防止して、低コスト化および良好な施工性を実現することができる。
【００２８】
（３）さらに、固定装置５０の固定材５２が縦枠１３の突片１３３Ａ，１３４Ａに係止されて上部障子２０が脱落しないようになっているので、上部障子２０を取り付ける際や取り外す際に、上部障子２０を作業者が手で支えておかなくてもよく、取付作業や取外し作業を容易に実施することができる。これにより、例えば一人の作業者で上部障子２０を取り付けたり取り外したりすることも可能になって、施工性をさらに向上させることができる。
【００２９】
（４）また、位置決め部材６０の当接面部６３が上枠１１の突片１１１に当接されるとともに、位置決め突部６４が突片１１１の切欠き１１１Ａに挿入されることで、位置決め部材６０が取り付けられた上部障子２０の上辺部を、見込方向および上枠１１の長手方向の両方向（見付け方向）に対して位置決めすることができ、上部障子２０の上辺部の移動を確実に規制することができる。
【００３０】
（５）さらに、位置決め部材６０の規制部６５が縦枠１３の室外側見付け片１３４に係止されることで、上部障子２０を取り付ける際や取り外す際に、位置決め部材６０の当接面部６３が上枠１１の突片１１１から外れた位置にあっても、上部障子２０が室外側に倒れないようにでき、取付作業や取外し作業を一層容易に実施することができる。
【００３１】
〔第２実施形態〕
次に、本発明の第２実施形態について図１２〜図１７に基づいて説明する。
図１２は、第２実施形態に係る建具における上部障子２０の固定装置７０を示す縦断面図である。図１３(Ａ)〜(Ｃ)は、固定装置７０の受け材７１および固定材７２を示す三面図である。図１４〜図１６は、上部障子２０の建て込み手順を説明する縦断面図である。図１７は、上部障子２０の取り外し手順を説明する縦断面図である。
本実施形態の建具は、上部障子２０の下辺部を固定する固定装置７０の構造が前記第１実施形態の固定装置５０と相違し、上部障子２０の建て込みおよび取り外し手順が前記第１実施形態と相違するもので、他の構成は第１実施形態と略同様である。以下、相違点について詳しく説明する。
【００３２】
図１２、図１３に示すように、固定装置７０は、縦枠１３の見込み片部１３１に固定される受け材７１と、この受け材７１に対して上下スライド自在かつ固着可能に設けられるとともに上部障子２０の下辺部を支持可能な固定材７２とを有して構成されている。
受け材７１は、金属板材から折り曲げ加工により成形され、縦枠１３の見込み片部１３１に固定される固定片部７１１と、この固定片部７１１の上端部から縦枠１３の見付け方向内側斜め上方に突出する固着部７１２と、固定片部７１１の下端部に設けられた係止片部７１３と、固定片部７１１の両側端部に設けられた案内片部７１４とを有して形成されている。そして、受け材７１は、縦枠１３の見付け方向外側から螺合されるビスによって固定片部７１１が縦枠１３の見込み片部１３１に固定されるようになっている。また、固着部７１２には、固定材７２を固着するビスを螺合するためのビス孔７１２Ａが設けられている。
【００３３】
固定材７２は、それぞれ金属製の固定材本体７２１と、この固定材本体７２１に取り付けられた固定補強板７２２とを有して形成されている。固定材本体７２１は、受け材７１に固着した状態で受け材７１を覆うケース部７２１Ａと、このケース部７２１Ａから略水平に延びる水平支持片部７２１Ｂと、ケース部７２１Ａの縦枠１３側端部に上下に延びて設けられた被案内片部７２１Ｃと、ケース部７２１Ａの内部底面に立設された立上片部７２１Ｄとを有して形成されている。固定補強板７２２は、金属板材から形成されており、固定材本体７２１の水平支持片部７２１Ｂ上に形成された２つの係合突起７２１Ｅに係合され、かつ水平支持片部７２１Ｂ上のカシメ部７２１Ｆをかしめることで、固定材本体７２１に一体的に取り付けられている。そして、固定材本体７２１の水平支持片部７２１Ｂ基端部および固定補強板７２２には、それぞれビス孔７２１Ｉ，７２２Ａが形成されている。また、固定材本体７２１の立上片部７２１Ｄには、受け材７１の係止片部７１３を挿通する開口が設けられており、この開口上端縁には係止片部７１３に係止される被係止縁部７２１Ｇが形成され、開口側端縁には係止片部７１３に係止される被係止爪７２１Ｈが形成されている。
【００３４】
以上のような固定材７２は、被案内片部７２１Ｃが受け材７１の案内片部７１４に案内されることで、受け材７１に対して上下にスライドできるようになっているとともに、立上片部７２１Ｄの被係止縁部７２１Ｇが受け材７１の係止片部７１３に係止されることで、この係止された位置（図１２に示す位置）よりも下方に下がらずに支持されるようになっている。一方、固定材本体７２１を上方にスライドさせ、固定補強板７２２の上面を受け材７１の固着部７１２下面に当接させた状態において、固定材本体７２１のビス孔７２１Ｉ、固定補強板７２２のビス孔７２２Ａ、および固着部７１２のビス孔７１２Ａにビス７２３を貫通させて螺合することで、固定材７２が受け材７１に固着されるようになっている。さらに、固定材本体７２１の２つの係合突起７２１Ｅを上部障子２０の下框２２に係合することで、上部障子２０が固定装置７０に対して移動不能に支持されるようになっている。
【００３５】
次に、上部障子２０の建て込み手順について図１４〜図１７も参照して説明する。
上部障子２０の建て込みに際しては、前記第１実施形態と同様に、上部障子２０の上辺両端部に位置決め部材６０を取り付けておく。そして、図１４に示すように、縦枠１３の見込み片部１３１に固定装置７０の受け材５１を固定するとともに、この受け材７１の係止片部７１３に被係止縁部７２１Ｇを係止させて固定材７２を受け材７１に取り付けておく。そして、上部障子２０の下辺部を固定材７２上に載せるようにして、上部障子２０を縦枠１３間に室外側から嵌め込む。
次に、図１５に示すように、上部障子２０を持ち上げて上辺部を上枠１１に挿入し、位置決め部材６０によって上部障子２０の上辺部を上枠１１に位置決めする。この上部障子２０の上辺部の位置決め手順は、前記第１実施形態と略同様である。
次に、図１６に示すように、固定装置７０の固定材７２を受け材７１の案内片部７１４沿って上方にスライドさせ、固定補強板７２２の上面を受け材７１の固着部７１２下面に当接させる。この状態において、固定材７２の水平支持片部７２１Ｂおよび固定補強板７２２が上部障子２０の下辺部（下框２２の下面）に当接するとともに、係合突起７２１Ｅが下框２２に係合するようになっている。そして、ビス７２３を水平支持片部７２１Ｂ、固定補強板７２２および受け材７１の固着部７１２に螺合し、固定材７２を受け材７１に固着する。以上によって下辺部が固定装置７０に支持され、かつ上辺部が上枠１１に位置決めされることで、上部障子２０が窓枠１０に対して移動不能に固定され、上部障子２０の建て込み手順が完了する。
【００３６】
次に、上部障子２０を窓枠１０から取り外す場合には、図１７に示すように、先ず、ビス７２３を受け材７１および固定材７２から外し、固定材７２を受け材７１の案内片部７１４に沿って下方にスライドさせる。そして、上部障子２０を支持した状態で固定材７２を所定量だけ下方に下げれば、固定材本体７２１の被係止爪７２１Ｈが受け材７１の係止片部７１３に係止され、この係止された位置よりも下方に固定材７２が下がらず上部障子２０の上辺部が上枠１１に係止された状態となり、上部障子２０が窓枠１０から脱落しないようになっている。次に、上部障子２０を作業者が支えてから、被係止爪７２１Ｈをドライバ等の工具で押し込むことで、被係止爪７２１Ｈが係止片部７１３から外れ、固定材７２が下方に下がることによって上部障子２０の上辺部と上枠１１との係合が外れるため、上部障子２０を窓枠１０から取り外すことができるようになる。
【００３７】
このような本実施形態によれば、前述の（３）〜（５）の効果と略同様の効果に加えて以下のような効果がある。
（６）すなわち、上部障子２０の上辺部が上枠１１に位置決めされた状態で、固定装置７０の固定材７２が上方にスライドされてから受け材７１に固着され、この固定材７２で上部障子２０の下辺部が支持されるので、上部障子２０を固定位置よりも持ち上げてから下げるような従来の取付方法によらなくてもよく、固定材７２を受け材７１に固着するだけで上部障子２０を窓枠１１に移動不能に固定することができ、上部障子２０の固定状態の安定化を図ることができる。
【００３８】
（７）さらに、固定装置７０の固定材７２の係合突起７２１Ｅを下框２２に係合させ、固定材７２を受け材７１に固着するだけで上部障子２０の固定作業が完了するので、固定装置７０とは別の固定部品等を用意する必要がなく、部品点数の増加および取付手順の煩雑化を防止して、低コスト化および良好な施工性を実現することができる。
【００３９】
なお、本発明は、前記実施形態に限定されるものではなく、本発明の目的を達成できる他の構成等を含み、以下に示すような変形等も本発明に含まれる。
例えば、前記実施形態においては、下部障子３０が上下スライド開閉可能な上げ下げ窓１について説明したが、本発明の建具は、上げ下げ窓１に限らず、可動障子を有していなくてもよく、また可動障子や可動面材が突出し形式や内倒し形式、開き形式、辷出し形式等で開閉されるものであってもよい。
【００４０】
また、前記実施形態では、上部障子２０の上辺部を位置決めする位置決め部材６０と、上部障子２０の下辺部を支持する固定装置５０または固定装置７０とによって上部障子２０を移動不能に窓枠１１に固定したが、上辺部を位置決めする位置決め部材は、前記実施形態のものに限らず、任意の形態のものが採用可能である。
また、前記実施形態では、上部障子２０の上辺部を上枠１１に位置決めする構成としているが、この上部障子２０の上辺部の位置決め箇所は前記実施形態のものに限らず、上部障子２０の上辺部を縦枠１３の上端部に位置決めする構成としてもよく、上部障子２０の上辺部を縦枠１３の上下端部間（つまり、例えば縦枠１３の中間部）に位置決めする構成としてもよい。
【００４１】
また、障子の上辺部を位置決めする手段として前記実施形態の位置決め部材６０を用いた場合において、障子の下辺部を支持する固定手段としては、前記実施形態のものに限らず任意の形態のもの、例えば、縦枠と障子の下框とにビス止めや係止爪等で固定されるアングル材等の固定部材などが採用可能である。
また、前記第１実施形態では、上部障子２０を窓枠１０から取り外す場合に、ビス５２３を受け材５１および固定材５２から外しても、固定材５２が縦枠１３の突片１３３Ａ，１３４Ａに係止されて上部障子２０が脱落しない構成としたが、固定材５２が受け材５１に係止されることで上部障子２０が脱落しない構成としてもよく、固定材５２が縦枠１３の突片１３３Ａ，１３４Ａおよび受け材５１の両方に係止されて上部障子２０が脱落しない構成としてもよい。
また、固定装置の構成としては、次の図１８に示すような構成が採用可能である。すなわち、図１８の固定装置は、第１実施形態の固定装置５０と略同様の受け材５１および固定材５２を備え、固定材５２には、鉛直支持片部５２２Ｂから受け材５１側に突出した一対の係合片部５２２Ｃが設けられている。そして、この固定装置では、係合片部５２２Ｃを受け材５１の固着部５１２側端縁に係合させることで、固定材５２が受け材５１に係着されるようになっている。このため、上部障子２０の建て込み時における固定材５２の受け材５１への固着作業時に、固定材５２を受け材５１に係着しておけば、ビス５２３の取り付け作業まで固定材５２を手で支えておく必要がなくなり、取付作業の容易化を図ることができるようになっている。
【００４２】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４３】
【図１】本発明の第１実施形態に係る建具を示す縦断面図である。
【図２】前記建具を示す横断面図である。
【図３】前記建具を室外側から見た姿図である。
【図４】前記建具における固定障子の固定装置を示す横断面図である。
【図５】(Ａ)〜(Ｃ)は、前記固定装置の受け材を示す三面図である。
【図６】(Ａ)〜(Ｃ)は、前記固定装置の固定材を示す三面図である。
【図７】前記固定障子の上辺部を示す横断面図である。
【図８】前記固定障子の上辺部に設けられる位置決め部材を示す三面図である。
【図９】前記固定障子の建て込み手順を説明する縦断面図である。
【図１０】図９に続く建て込み手順を説明する縦断面図である。
【図１１】図１０に続く建て込み手順を説明する縦断面図である。
【図１２】本発明の第２実施形態に係る固定障子の固定装置を示す縦断面図である。
【図１３】(Ａ)〜(Ｃ)は、前記固定装置を示す三面図である。
【図１４】第２実施形態における固定障子の建て込み手順を説明する縦断面図である。
【図１５】図１４に続く建て込み手順を説明する縦断面図である。
【図１６】図１５に続く建て込み手順を説明する縦断面図である。
【図１７】前記固定障子の取り外し手順を説明する縦断面図である。
【図１８】本発明の変形例に係る固定装置を示す三面図である。
【符号の説明】
【００４４】
１０…窓枠、１１…上枠、１２…下枠、１３…縦枠、２０…固定障子である上部障子、３０…可動障子である下部障子、５０，７０…固定装置、５１，７１…受け材、５２，７２…固定材、６０…位置決め部材、６３…位置決め部である当接面部、６４…位置決め部である位置決め突部、６５…規制部。
【図１】
0004749826.tif 000002
【図２】
0004749826.tif 000003
【図３】
0004749826.tif 000004
【図４】
0004749826.tif 000005
【図５】
0004749826.tif 000006
【図６】
0004749826.tif 000007
【図７】
0004749826.tif 000008
【図８】
0004749826.tif 000009
【図９】
0004749826.tif 000010
【図１０】
0004749826.tif 000011
【図１１】
0004749826.tif 000012
【図１２】
0004749826.tif 000013
【図１３】
0004749826.tif 000014
【図１４】
0004749826.tif 000015
【図１５】
0004749826.tif 000016
【図１６】
0004749826.tif 000017
【図１７】
0004749826.tif 000018
【図１８】
0004749826.tif 000019